(57)【要約】【課題】データの記録、及び外部機器への電力供給が可能で、かつ簡単に外部機器へ着脱することの可能なバッテリパックを提供する。【解決手段】バッテリパック１０は、バッテリ収納部１２、及び記録手段収納部１４により構成されている。記録手段収納部１４は、その内部に、メモリ３０、メモリ制御部３４、及び電源制御部３６を備え、バッテリ収納部１２は、その内部にバッテリ４６を備える。記録手段収納部１４は、バッテリ４６からデジタルカメラ１６への電力供給を可能とすると共に、デジタルカメラ１６とメモリ３０との間でのデータの入出力を可能とする電源データコネクタ１８を備える。【選択図】　図３
2004126671.tif 000002
【特許請求の範囲】
【請求項１】
第１外部機器への電力供給が可能なバッテリと、
前記第１外部機器からのデータの記録が可能な記録手段と、
前記バッテリから前記第１外部機器への電力供給を可能とすると共に、前記外部機器と前記記録手段との間でのデータの入出力を可能とする電源データコネクタと、
第２外部機器と前記記録手段との間でのデータの入出力を可能とする第２データコネクタと、
を備えたバッテリパック。
【請求項２】
前記バッテリから前記記録手段への電力の供給が可能とされていることを特徴とする請求項１に記載のバッテリパック。
【請求項３】
前記第１外部機器及び前記第２外部機器の少なくとも一方から前記記録手段への電力の供給が可能とされていることを特徴とする請求項１または請求項２に記載のバッテリパック。
【請求項４】
前記バッテリと前記記録手段とは分離可能であることを特徴とする請求項１乃至請求項３に記載のバッテリパック。
【請求項５】
前記バッテリと前記記録手段とが分離されないようにロックするロック手段を更に備え、このロック手段が解除された場合には、前記記録手段へのアクセスを禁止することを特徴とする請求項４に記載のバッテリパック。
【発明の詳細な説明】
【０００１】
【発明の属する技術分野】
本発明は、バッテリパックに係り、特に、デジタルデータを取り扱う外部機器への電力供給が可能なバッテリパックに関する。
【０００２】
【従来の技術】
従来より、デジタルデータを取り扱う各種機器からのデータを記録するために、着脱可能な記録媒体としてのメモリカードが使用されている。例えば、特許文献１、特許文献２には、メモリとこのメモリの電源となる電池とを備えたメモリカードが記載されている。前記公報に記載されたメモリカードのメモリへの電力供給は、メモリカードが外部機器に接続されているときには当該外部機器から、外部機器に接続されていないときにはメモリカードに内蔵されたバッテリから、行われている。
【０００３】
しかしながら、前記公報に記載されたメモリカードの電池では、内部メモリへの電力供給を行うことはできても、外部機器への電力供給を行うことはできない。そのため、外部機器への電力の供給を行うためには、別にバッテリを装着する必要があった。
【０００４】
また、特許文献３には、カメラ本体部へ電力を供給する交換部が記載されているが、この交換部と他の外部機器との間で直接データの入出力を行うことはできなかった。
【０００５】
【特許文献１】
特開平５−４８９９７号公報
【特許文献２】
特開平９−４４４１４号公報
【特許文献３】
特開２００１−３３３３０６公報
【０００６】
【発明が解決しようとする課題】
本発明は、上記事実を考慮して成されたものであり、データの記録、及び外部機器への電力供給が可能で、かつ簡単に外部機器へ着脱することができ、さらに、複数の外部装置とデータの送受信が可能なバッテリパックを提供することを目的とする。
【０００７】
【課題を解決するための手段】
上記目的を達成するために、請求項１に記載のバッテリパックは、第１外部機器への電力供給が可能なバッテリと、前記第１外部機器からのデータの記録が可能な記録手段と、前記バッテリから前記第１外部機器への電力供給を可能とすると共に、前記第１外部機器と前記記録手段との間でのデータの入出力を可能とする第１電源データコネクタと、第２外部機器と前記記録手段との間でのデータの入出力を可能とする第２データコネクタを含んで構成されている。
【０００８】
ここで、外部機器とは、デジタルカメラやパーソナルコンピュータなどの、デジタルデータを取り扱う機器をいう。
【０００９】
上記バッテリパックによれば、第１外部機器への電力供給が可能なバッテリ、及び第１外部機器からのデータの記録が可能な記録手段を備えているので、第１外部機器への電力供給、及びこの第１外部機器からのデータの記録が可能となる。また、第１電源データコネクタは、バッテリから第１外部機器への電力供給を可能とすると共に、第１外部機器と記録手段との間でのデータの入出力を可能とする。この電源データコネクタは、１箇所にまとめられたコネクタであってもよいし、電源とデータとが別々の位置に配置されたコネクタであってもよい。このバッテリパックと外部機器との着脱は、一回の動作で行うことができるので、簡単にバッテリパックの着脱を行うことができる。さらに、第２データコネクタにより、第１外部機器とは異なる第２外部機器と記録手段との間でデータの入出力を行うことができる。
【００１０】
また、本発明のバッテリパックは、請求項２に記載のように、前記バッテリから前記記録手段への電力の供給が可能とされていることを特徴とすることもできる。
【００１１】
この構成によれば、バッテリから記録手段へ電力が供給されるので、外部からの電力供給がない場合にも、記録手段へ電力を供給することができる。
【００１２】
また、本発明のバッテリパックは、請求項３に記載のように、第１外部機器または第２外部機器から前記記録手段への電力の供給が可能とされていることを特徴とすることもできる。
【００１３】
この構成によれば、接続された外部機器から記録手段へ電力の供給を行うことができる。
【００１４】
また、本発明のバッテリパックは、請求項４に記載のように、前記バッテリと前記記録手段とは分離可能であることを特徴とすることもできる。
【００１５】
この構成によれば、バッテリと記録手段とが分離可能であるので、バッテリが劣化した場合に、バッテリのみを交換することができる。
【００１６】
また、本発明のバッテリパックは、請求項５に記載のように、前記バッテリと前記記録手段とが分離されないようにロックするロック手段を更に備え、このロック手段が解除された場合には、前記記録手段へのアクセスを禁止することを特徴とすることもできる。
【００１７】
この構成によれば、ロック手段が解除されて、バッテリと記録手段とが分離可能とされた場合には、記録手段へのアクセスが禁止される。したがって、記録手段へのアクセス中にバッテリと記録手段とが分離されることがなく、記録手段に記録されたデータの破壊が防止される。
【００１８】
【発明の実施の形態】
［第１実施形態］
以下、図面を参照して本発明の第１実施形態について説明する。
【００１９】
本実施形態におけるバッテリパック１０は、デジタルカメラ用のものであり、図１及び図２に示すように、バッテリ収納部１２、及び記録手段収納部１４が付き合わされて結合されることにより構成されている。バッテリパック１０は、図示しない係合部材によって、Ｘ方向からデジタルカメラ１６への装着が可能とされている（図２参照）。
【００２０】
記録手段収納部１４は、デジタルカメラ１６との装着面側に電源データコネクタ１８を備え（図２参照）、その反対面側に、スライドスイッチ２０、及びケーブルコネクタ２２を備え、バッテリ収納部１２との結合面側に係合溝２４、係合凸部２６、及び接続端子２８を備える（図１参照）。記録手段収納部１４は、その内部に、図３に示すように、メモリ３０、メモリ制御部３４、及び電源制御部３６を備える。
【００２１】
一方、バッテリ収納部１２は、図１に示すように、記録手段収納部１４との結合面側の、係合溝２４に対応する位置に係合レール４０、係合凸部２６に対応する位置に係合孔４２、接続端子２８に対応する位置に接続端子４４を備える。また、その内部にバッテリ４６を備える（図３参照）。係合レール４０は、係合溝２４と係合可能とされ、係合孔４２は、係合凸部２６と係合可能とされている。係合凸部２６は、記録媒体収納部１４のバッテリ収納部１２との装着面と同一面上か、もしくはこの位置よりも記録媒体収納部１４の内側のロック解除位置２６Ａと、記録媒体収納部１４のバッテリ収納部１２との装着面よりも突出したロック位置２６Ｂとの間を移動可能とされている。
【００２２】
図１に示すように、接続端子２８及び接続端子４４は、各々プラスとマイナスの一対の端子により構成され、プラス端子にはプラス端子が、マイナス端子にはマイナス端子が各々接続されるように構成されている。図３に示すように、接続端子２８は電源制御部３６及び電源データコネクタ１８と接続され、接続端子４４はバッテリ４６と接続されている。
【００２３】
図１に示すように、スライドスイッチ２０は、上側のアクセス禁止位置２０Ａと下側のアクセス可能位置２０Ｂとの間を移動可能とされている。スライドスイッチ２０がアクセス禁止位置２０Ａに位置するときには、係合凸部２６がロック解除位置２６Ａに位置してバッテリ収納部１２と記録手段収納部１４とのロックが解除されて互いに分離可能になると共に、メモリ３０へのアクセスが禁止される。スライドスイッチ２０がアクセス可能位置２０Ｂに位置するときには、係合凸部２６はロック位置２６Ｂに位置してバッテリ収納部１２と記録手段収納部１４との結合がロックされると共に、メモリ３０へのアクセスが可能とされる。
【００２４】
図２に示す電源データコネクタ１８は、バッテリ４６からデジタルカメラ１６への電力供給を可能とすると共に、デジタルカメラ１６とメモリ３０との間でのデータの入出力を可能とするインターフェースである。また、ケーブルコネクタ２２は、パーソナルコンピュータ（以下「パソコン」という）６０（図３参照）などの外部機器とバッテリパック１０とを接続するためのインターフェースである。
【００２５】
図３に示す、記録手段収納部１４の内部のメモリ３０は、データの記録が可能な記録媒体であり、メモリ制御部３４及び電源制御部３６と接続されている。メモリ制御部３４は、ケーブルコネクタ２２、メモリ３０、及び電源制御部３６と接続されており、メモリ３０へのアクセス制御やその他の処理を行っている。バッテリ収納部１２の内部のバッテリ４６は、デジタルカメラ１６を動作させることができる程度の電力を蓄電可能とされ、接続端子４４と接続されている。電源制御部３６は、接続端子２８、メモリ３０、及びメモリ制御部３４と接続され、バッテリ４６からの電力をメモリ３０及びメモリ制御部３４へ供給する。接続端子２８は、電源データコネクタ１８と接続され、バッテリ４６からの電力が、電源データコネクタ１８を介して、デジタルカメラ１６へ供給可能とされている。
【００２６】
一方、デジタルカメラ１６は、下側の一端部にバッテリパック１０を装着する装着部５０を備える。装着部５０の電源データコネクタ１８に対応する位置には、電源データコネクタ１８とのデータの入出力、及び電源データコネクタ１８から電力の供給が可能な入力端子５２を備える。デジタルカメラ１６の装着部５０と逆側には、ＡＣアダプタ６２からの電力の供給が可能とされたＡＣコネクタ５４を備える。
【００２７】
次に本実施形態の作用について説明する。
【００２８】
バッテリ収納部１２と記録手段収納部１４との結合は、係合溝２４と係合レール４０とを係合させ、その後、スライドスイッチ２０をアクセス可能位置２０Ｂへ移動することにより係合凸部２６をロック位置２６Ｂに移動させて、係合凸部２６を係合孔４２に係合させる（図１参照）。これにより、係合溝、係合レール４０、係合凸部２６、及び係合孔４２で、バッテリ収納部１２と記録手段収納部１４とがロックされる。また、メモリ３０へのアクセスが可能となる。
【００２９】
また、バッテリ収納部１２と記録手段収納部１４とを分離する際には、スライドスイッチ２０をアクセス禁止位置２０Ａへ移動することにより係合凸部２６をロック解除位置２６Ａに移動させ、係合凸部２６と係合孔４２との係合を解除する（図１参照）。これにより、バッテリ収納部１２と記録手段収納部１４とのロックが解除される。また、メモリ３０へのアクセスが禁止される。そして、係合溝２４と係合レール４０との係合を解除して、バッテリ収納部１２と記録手段収納部１４とを分離する。
【００３０】
デジタルカメラ１６へバッテリパック１０を装着する際には、Ｘ方向からバッテリパック１０を移動させて、デジタルカメラ１６の装着部５０に装着する。このとき、電源データコネクタ１８と入力端子５２とが接続されるようにする。これにより、バッテリ４６からデジタルカメラ１６へ電力の供給が行われると共に、デジタルカメラ１６とメモリ３０との間でのデータの入出力が可能になる。
【００３１】
バッテリパック１０のデジタルカメラ１６への固定は、バッテリパック１０及びデジタルカメラ１６の各々に設けられた図示しない係合部材を係合させることにより行われる。
【００３２】
デジタルカメラ１６で撮像が行われると、画像データが電源データコネクタ１８を介してメモリ制御部３４に出力される。メモリ制御部３４では、受信された画像データに所定の処理が行われ、処理後の画像データはメモリ制御部３４へ出力される。メモリ制御部３４では、入力された画像データに所定の処理が行われ、処理後の画像データがメモリ３０に記録される。
【００３３】
メモリ３０に記録された画像データを、外部機器、例えばパソコン６０へ出力する場合には、パソコン６０とケーブルコネクタ２２とを所定のケーブルで接続する。このとき、バッテリパック１０は、デジタルカメラ１６に装着した状態でも、デジタルカメラ１６から外した状態でもよい。メモリ３０及びメモリ制御部３４への電力の供給はバッテリ４６から行われる。
【００３４】
パソコン６０からの所定のアクセスがあると、メモリ３０に記録された画像データは、メモリ制御部３４での所定の処理を経て、ケーブルコネクタ２２を介してパソコン６０へ出力される。
【００３５】
また、バッテリパック１０のバッテリ４６に充電を行うには、バッテリパック１０をデジタルカメラ１６に装着し、デジタルカメラ１６のＡＣコネクタ５４にＡＣアダプタ６２を接続する。これにより、デジタルカメラ１６を介してバッテリ４６への充電が行われる。なお、本実施形態では、充電可能な二次電池をバッテリとして使用したが、充電不可の一次電池をバッテリとして使用することもできる。この場合には、前述のデジタルカメラ１６からの充電は行われない。
【００３６】
本実施形態のバッテリパック１０によれば、バッテリ４６及びメモリ３０を備えているので、デジタルカメラ１６へ電力を供給することができると共に、バッテリパック１０内にデジタルカメラ１６で撮像した画像データを記録することができる。
【００３７】
また、電源データコネクタ１８により、バッテリ４６から外部機器への電力供給が可能とされると共に、デジタルカメラ１６とメモリ３０との間でのデータの入出力が可能とされているので、ユーザーは、電源データコネクタ１８を接続するだけで電力の供給及びデータの入出力のための端子を接続することができ、簡単にバッテリパック１０の脱着を行うことができる。
【００３８】
また、メモリ３０及びメモリ制御部３４への電力の供給は、バッテリ４６から行われるので、バッテリパック１０がデジタルカメラ１６から外された状態、即ち、外部からの電力の供給がない場合にも、メモリ３０及びメモリ制御部３４への電力の供給を行うことができる。これにより、バッテリパック１０がデジタルカメラ１６に装着されていなくても、バッテリパック１０からパソコン６０へ画像データを出力することができ、利便性が向上する。
【００３９】
また、デジタルカメラ１６へバッテリパック１０を装着せずにパソコン６０へ画像データを出力する場合には、バッテリ４６からの電力の供給は、メモリ３０、メモリ制御部３４、及びその周辺回路のみへ行われ、デジタルカメラ１６への電力供給は行われないので、省電力が可能となる。
【００４０】
また、本実施形態のバッテリパック１０は、バッテリ収納部１２と記録手段収納部１４とで構成され、これらが分離可能とされているので、バッテリ４６が劣化した場合に、バッテリ収納部１２のみを交換することにより、新しいバッテリに交換することができる。
【００４１】
また、本実施形態のバッテリパック１０は、バッテリ収納部１２と記録手段収納部１４とを分離する際には、スライドスイッチ２０がアクセス禁止位置２０Ａに移動され、メモリ３０へのアクセスが禁止されるので、メモリ３０へのアクセス中にはバッテリ収納部１２と記録手段収納部１４とが分離されることはなく、メモリ３０に記録されたデータの破壊が防止される。
【００４２】
また、本実施形態のバッテリパック１０は、市販されているメモリカードと比較して、厚型の構成とすることができるので、装置との着脱の際に破損するのを防止することができる。
［第２実施形態］
次に、第２実施形態について説明する。本実施形態では、第１実施形態と同様の部分については同一の符号を付して詳細な説明は省略する。
【００４３】
本実施形態のバッテリバック７０は、バッテリ収納部１２及び記録媒体収納部７４により構成されている。記録媒体収納部７４の内部構成以外の構成については、第１実施形態と同様である。
【００４４】
図４に示すように、記録媒体収納部７４は、内部に、メモリ３０、ＵＳＢ制御部７２、メモリ制御部３４、電源制御部７６を備える。
【００４５】
メモリ３０は、データの記録が可能な記録媒体であり、メモリ制御部３４と接続されている。メモリ制御部３４は、メモリ３０へのアクセス制御やその他の処理を行う部分であり、メモリ３０、及びＵＳＢ制御部７２と接続されている。ＵＳＢ制御部７２は、ケーブルコネクタ２２及び電源データコネクタ１８と接続されており、ＵＳＢのプロトコルにしたがって所定の処理を行う。電源制御部７６は、ケーブルコネクタ２２及び接続端子２８と接続されており、ＵＳＢからの電力をバッテリ４６へ供給するための制御を行う。
【００４６】
バッテリ収納部１２の内部のバッテリ４６は、接続端子４４と接続されている。接続端子２８は、電源データコネクタ１８と接続され、バッテリ４６からの電力が、電源データコネクタ１８を介して、デジタルカメラ１６へ供給可能とされている。
【００４７】
次に、本実施形態の作用について説明する。
【００４８】
バッテリ収納部１２と記録手段収納部１４との分離及び結合、デジタルカメラ１６へのバッテリパック１０の装着は、第１実施形態と同様にして行われる。
【００４９】
デジタルカメラ１６で撮像が行われると、画像データは電源データコネクタ１８を介してＵＳＢ制御部７２に出力される。ＵＳＢ制御部７２は、入力された画像データをメモリ制御部３４に出力し、メモリ制御部３４は、入力された画像データをメモリ３０に記録する。このときのメモリ３０及びメモリ制御部３４への電力の供給は、電源データコネクタ１８を介して、デジタルカメラ１６から行われる。
【００５０】
メモリ３０に記録された画像データを、外部機器、例えばパソコン６０へ出力する場合には、ケーブルコネクタ２２にＵＳＢケーブルの一端を接続し、他端をパソコン６０に接続する。このとき、バッテリパック１０は、デジタルカメラ１６に装着した状態でも、デジタルカメラ１６から外した状態でもよい。バッテリパック１０が、デジタルカメラ１６から外された状態である場合には、メモリ３０及びメモリ制御部３４への電力の供給は、ＵＳＢケーブルを介してパソコン６０から行われる。さらに、メモリ３０へのアクセスが行われていない時には、パソコン６０からバッテリ４６へ、ＵＳＢケーブル、及び電源制御部７６を介して、充電が行われる。
【００５１】
パソコン６０からの所定のアクセスがあると、メモリ３０に記録された画像データは、メモリ制御部３４での所定の処理を経て、ケーブルコネクタ２２を介してパソコン６０へ出力される。
【００５２】
本実施形態のバッテリパック１０によれば、パソコン６０からメモリ３０及びメモリ制御部３４への電力の供給を行うことができる。また、バッテリ４６からメモリ３０及びメモリ制御部３４への電力の供給以外の、第１実施形態と同様の効果を得ることができる。
【００５３】
なお、本実施形態では、メモリ３０及びメモリ制御部３４への電力の供給は、デジタルカメラ１６やパソコン６０などの外部機器からのみ行われ、バッテリ４６からは行われない構成について説明したが、バッテリ４６からも電力の供給が行われるようにすることもできる。この場合には、図５に示すように、電源制御部７６とメモリ３０及びメモリ制御部３４とを各々接続して、バッテリ４６から電力を供給するようにすることにより可能となる。
【００５４】
【発明の効果】
以上説明したように、本発明のバッテリパックによれば、外部機器への電力供給が可能なバッテリ、及びデータの記録が可能な記録手段を備えているので、外部機器への電力供給、及びデータの記録が可能となる。また、電源データコネクタは、バッテリから外部機器への電力供給を可能とすると共に、外部機器と記録手段との間でのデータの入出力を可能とするので、ユーザーはバッテリパックと外部機器との着脱を一回の動作で行うことができ、簡単にバッテリパックの着脱を行うことができる。さらに、第２データコネクタにより、第１外部機器とは異なる第２外部機器と記録手段との間でデータの入出力を行うことができる。
【図面の簡単な説明】
【図１】本実施形態のバッテリパックの分解斜視図である。
【図２】本実施形態のバッテリパックとデジタルカメラとの装着関係を示す図である。
【図３】第１実施形態のバッテリパックの内部構成の概念ブロック図である。
【図４】第２実施形態のバッテリパックの内部構成の概念ブロック図である。
【図５】第２実施形態のバッテリパックの内部構成の変形例の概念ブロック図である。
【符号の説明】
１０　　バッテリパック
１６　　デジタルカメラ（第１外部機器）
１８　　電源データコネクタ（第１電源データコネクタ）
２２　　ケーブルコネクタ（第２データコネクタ）
２６　　係合凸部（ロック手段）
３０　　メモリ（記録手段）
３４　　メモリ制御部（記録手段）
４６　　バッテリ
６０　　パソコン（第２外部機器）
【図１】
2004126671.tif 000003
【図２】
2004126671.tif 000004
【図３】
2004126671.tif 000005
【図４】
2004126671.tif 000006
【図５】
2004126671.tif 000007